(57)【特許請求の範囲】
【請求項１】
各々が、
対応する流体チャンバと、
前記流体チャンバに流体が供給される際に流体が通過するスロート部と、
前記流体チャンバ内に配置されたヒーター素子と
を含む複数の流体吐出素子と、
少なくともその一部が前記複数の流体チャンバ内に配置され、ステップ電圧を受けるよう構成された、前記複数の流体チャンバにより共有される共通の第１電極と、
それぞれ対応する流体吐出素子の前記スロート部内に配置された複数の第２電極と、
前記第１電極への前記ステップ電圧の印加に基づき、プリントヘッド状態の指標としての出力を生成する、それぞれ対応する第２電極に電気的に接続された複数の検知回路と、
前記複数の検知回路から前記出力を受信する検知バスと
を含むプリントヘッド状態検出システムと
を備える流体プリントヘッド。
【請求項２】
前記ステップ電圧を受けて前記共通の第１電極へ伝達するよう構成された刺激ノードをさらに備える
請求項１に記載の流体プリントヘッド。
【請求項３】
前記流体チャンバ内に流体が存在する場合、当該流体チャンバに対応する前記検知回路の出力はデジタル高出力である
請求項１に記載の流体プリントヘッド。
【請求項４】
前記流体チャンバ内に流体が存在しない場合、当該流体チャンバに対応する前記検知回路の出力はデジタル低出力である
請求項１に記載の流体プリントヘッド。
【請求項５】
ハウジングと、
制御機構に従って前記ハウジングに対して相対的に移動するのに伴って印刷媒体上に流体を吐出するよう前記ハウジングに移動可能に接続された１以上のプリントヘッドアセンブリと
を備える流体プリンタシステムであって、
前記１以上のプリントヘッドアセンブリのうち少なくとも１つは、各々が、
対応する流体チャンバと、
前記流体チャンバに流体が供給される際に流体が通過するスロート部と、
前記流体チャンバ内に配置されたヒーター素子と
を含む複数の流体吐出素子と、
少なくともその一部が前記複数の流体チャンバ内に配置され、ステップ電圧を受けるよう構成された、前記複数の流体チャンバにより共有される共通の第１電極と、
それぞれ対応する流体吐出素子の前記スロート部内に配置された複数の第２電極と、
前記第１電極への前記ステップ電圧の印加に基づき、プリントヘッド状態の指標と
しての出力を生成する、それぞれ対応する第２電極に電気的に接続された複数の検知回路と、
前記複数の検知回路から前記出力を受信する検知バスと
を含むプリントヘッド状態検出システムと
を含む流体プリントヘッド
を備える流体プリンタシステム。
【請求項６】
前記ステップ電圧を受けて前記共通の第１電極へ伝達するよう構成された刺激ノードをさらに備える
請求項５に記載の流体プリンタシステム。
【請求項７】
前記流体チャンバ内に流体が存在する場合、当該流体チャンバに対応する前記検知回路の出力はデジタル高出力である
請求項５に記載の流体プリンタシステム。
【請求項８】
前記流体チャンバ内に流体が存在しない場合、当該流体チャンバに対応する前記検知回路の出力はデジタル低出力である
請求項５に記載の流体プリンタシステム。
【発明の詳細な説明】
【技術分野】
【０００１】
本発明は、インクジェットプリントヘッドに関し、特にインクジェットプリントヘッドのノズルの状態を検出するためのシステムおよび方法に関する。
【背景技術】
【０００２】
インクジェットノズルの状態検出は、当分野における長年の懸案事項となっている。スキャン方式のプリントヘッドでは、そのマルチパス実行機能を用いてノズルの欠落や誤動作の影響を最小限に抑えようとしている。インクジェット技術がレーザープリンタ並みの性能を達成しつつあるなか、ページ幅全体をカバーできるノズル付きプリントヘッドが一般的になりつつある。このような印刷方法を用いると印刷スピードは向上するものの、もはやマルチパス印刷の余地はない。したがって、ノズルが正しく噴射していることを検証する方法が必要である。
【０００３】
そのような方法として、米国特許第８１７７３１８号明細書、米国特許第８３７６５０６号明細書、米国特許第８４４９０６８号明細書などに開示された光検出による方法がある。この方法では外部電源とセンサが必要となるため、印刷装置に余分なコストと複雑さが上乗せされることになりかねない。外部デバイスを使用せずにすむ別の方法として、吐出チップ自体にインピーダンスセンサを設置する方法が開示されている。
【０００４】
そのような方法の実施可能な例が、米国特許第８８７０３２２号明細書、米国特許第８８９９７０９号明細書、および米国特許出願公開第２０１４／０３３３６９４号明細書に記載されている。これらの特許および特許出願は、差動インピーダンスまたはシングルエンドインピーダンスを経時測定することにより熱蒸気泡の形成と崩壊を検出することを教示している。さらに、センサから集めたデータを外部処理することにより、ノズルの詰まりや機能低下といった様々なノズル状態を判定できることも教示されている。米国特許第８８７０３２２号明細書に示されているように、システムの性能を十分に発揮させるためには較正方法が必要になる場合もある。こういった従来のプリントヘッド状態検出技術において、各インク室に対応するノズルが正しく噴射しているかどうかを判定するには、各インク室の各センサの出力を分析する必要がある。このことが実用的かつ効率的な検出方法の実現を阻んでいる。
【先行技術文献】
【特許文献】
【０００５】
【特許文献１】米国特許第８１７７３１８号明細書
【特許文献２】米国特許第８３７６５０６号明細書
【特許文献３】米国特許第８４４９０６８号明細書
【特許文献４】米国特許第８８７０３２２号明細書
【特許文献５】米国特許第８８９９７０９号明細書
【特許文献６】米国特許出願公開第２０１４／０３３３６９４号明細書
【発明の概要】
【発明が解決しようとする課題】
【０００６】
本発明の目的は、インクジェットプリントヘッドを刺激して、その反応を検知することによりプリントヘッドのノズルの状態を判定する実用的な方法を提供することである。
【０００７】
本発明の他の目的は、単一のバスライン上で複数のノズルの状態を検知することのできる流体検知回路を提供することである。
【０００８】
本発明の他の目的は、単一の共通入力でプリントヘッド状態検出セルを刺激する能力のあるシステムを提供することである。
【０００９】
本発明の他の目的は、状態検出セル内の電極としてキャビテーション保護層を用いたプリントヘッド状態検出システムを提供することである。
【課題を解決するための手段】
【００１０】
本発明の一例示的実施形態による流体プリントヘッドは、流体チャンバと、前記流体チャンバに流体が供給される際に流体が通過するスロート部と、前記流体チャンバ内に配置されたヒーター素子とを含む少なくとも１つの流体吐出素子と、少なくともその一部が前記流体チャンバ内に配置され、ステップ電圧を受けるよう構成された第１電極と、前記スロート部内に配置された第２電極と、前記第１電極への前記ステップ電圧の印加に基づき、プリントヘッド状態の指標としての出力を生成する、前記第２電極に電気的に接続された検知回路とを含むプリントヘッド状態検出システムとを備える。
【００１１】
一例示的実施形態において、前記少なくとも１つの流体吐出素子は、複数の流体吐出素子を含み、各流体吐出素子は、対応する流体チャンバと、スロート部と、ヒーター素子とを含み、前記プリントヘッド状態検出システムは、前記複数の流体チャンバにより共有される共通の第１電極と、それぞれ対応する流体吐出素子の前記スロート部内に配置された複数の第２電極と、それぞれ対応する第２電極に電気的に接続された複数の検知回路とを含む。
【００１２】
一例示的実施形態において、前記流体プリントヘッドは、前記ステップ電圧を受けて前記共通の第１電極へ伝達するよう構成された刺激ノードをさらに備える。
【００１３】
一例示的実施形態において、前記流体プリントヘッドは、前記複数の検知回路から前記出力を受信する検知バスをさらに備える。
【００１４】
一例示的実施形態において、前記流体チャンバ内に流体が存在する場合、前記検知回路の出力はデジタル高出力である。
【００１５】
一例示的実施形態において、前記流体チャンバ内に流体が存在しない場合、前記検知回路の出力はデジタル低出力である。
【００１６】
本発明の実施形態のその他特徴および利点は、以下の詳細な説明、添付の図面、および別記の請求項から容易に明らかになるであろう。
【発明の効果】
【００１７】
本発明による流体プリントヘッドは、インクジェットプリントヘッドを刺激して、その反応を検知することによりプリントヘッドノズルの状態を判定する実用的な方法を提供することができる。
【図面の簡単な説明】
【００１８】
本発明の例示的実施形態の特徴および利点は、添付図面と照らし合わせながら以下の詳細な説明を参照することで、より完全に理解されるであろう。
【図１】図１は、本発明の一例示的実施形態によるインクジェットプリントヘッドの斜視図である。
【図２】図２は、本発明の一例示的実施形態によるインクジェットプリンタの斜視図である。
【図３】図３は、本発明の一例示的実施形態によるプリントヘッド状態検出セルの平面図である。
【図４】図４は、定常状態にある本発明の一例示的実施形態によるプリントヘッド状態検出セルの平面図である。
【図５】図５は、図４のプリントヘッド状態検出セルの要素間の電気化学的相互作用を表す回路図である。
【図６】図６は、本発明の一例示的実施形態による、インクが存在する状態検出セルに５Ｖ入力したときの反応の測定結果を示す。
【図７】図７は、本発明の一例示的実施形態による、インクが存在しない状態検出セルに５Ｖ入力したときの反応の測定結果を示す。
【図８】図８は、本発明の一例示的実施形態による状態検出セルの反応に基づく等価直列抵抗および二重層容量の計算方法を示す。
【図９】図９は、本発明の一例示的実施形態による検知回路の回路図である。
【図１０】図１０は、本発明の一例示的実施形態によるプリントヘッド状態検出システムのブロック図である。
【図１１】図１１は、本発明の一例示的実施形態による複数のインク検知回路と１本の検知バスとの電気的接続を示す回路図である。
【図１２】図１２は、本発明の一例示的実施形態によるインク検知回路と検知バスとの電気的接続を示す回路図である。
【図１３】図１３は、蒸気泡が形成され始めた、本発明の一例示的実施形態によるプリントヘッド状態検出セルの平面図である。
【図１４】図１４は、蒸気泡が完全に形成された、本発明の一例示的実施形態によるプリントヘッド状態検出セルの平面図である。
【発明を実施するための形態】
【００１９】
本明細書で使用する見出し項目は、構成上の目的でのみ使用し、明細書または請求項の範囲を限定するために使用するものではない。本出願全体で使用する「してもよい」および「できる」という言葉は、強制（つまり「ねばならぬ」）の意味ではなく、許容（つまり「可能性がある」）の意味で使用している。同様に、「含む」および「含んでいる」という言葉は、何かを含むが限定的ではないことを意味する。理解しやすいように、可能な場合は、諸図に共通する類似の要素を表すのに類似の参照番号を付与している。
【００２０】
電気化学システムにおいては、組成変化を起こすためではなくシステムの探査に用いられる電極のことを微小電極と定義する。さらに、限界寸法が２５μｍ未満の微小電極は超微小電極（ｕｌｔｒａ−ｍｉｃｒｏｅｌｅｃｔｒｏｄｅ（ＵＭＥ））と呼ばれる。本発明の例示的実施形態によると、吐出素子スロートそれぞれに配置された複数の個別帯域用のＵＭＥに加えて１つの汎用の微小電極も用いてインクの有無を検知する。
【００２１】
図１を参照すると、本発明の一例示的実施形態によるインクジェットプリントヘッドが全体的に１０で示されている。プリントヘッド１０は、インクを保持するのに適した任意の材料でできたハウジング１２を有する。その形状は様々であり得、プリントヘッドを担持または収容する外部デバイスに依るところが大きい。ハウジングは、初回または補充のインクを保持するコンパートメント１６を少なくとも１つ内部に有している。ある実施形態では、コンパートメントは単一のチャンバを有し、ブラックインク、フォトインク、シアンインク、マゼンタインクまたはイエローインクのうちの１種類を保持している。他の実施形態では、コンパートメントは複数のチャンバを有し、３種類のインクを収容している。コンパートメントにはシアン、マゼンタおよびイエローのインクが含まれることが好ましい。さらに別の実施形態では、コンパートメントは、ブラック、フォト、シアン、マゼンタまたはイエローのインクのうちの複数種を収容している。しかし、コンパートメント１６はプリントヘッドのハウジング１２内に局所的に一体化して示されているが、その代わりに遠隔のインク源に接続して、例えばチューブからインクの供給を受ける場合もあることが理解されよう。
【００２２】
ハウジング１２の１つの表面１８に接着されているのは、フレキシブル回路の、特にテープ自動接合（ＴＡＢ）回路２０の部分１９である。ＴＡＢ回路２０のもうひとつの部分２１は、ハウジングの別の表面２２に接着されている。この実施形態において、２つの表面１８、２２は、ハウジングのエッジ２３のところで互いに対して直角に配置されている。
【００２３】
ＴＡＢ回路２０は、使用中にヒーターチップ２５をプリンタ、ファックス機、コピー機、写真複写機、プロッター、複合機などの外部デバイスに電気的に接続するための複数の入力／出力（Ｉ／Ｏ）コネクタ２４を支持している。ＴＡＢ回路２０には複数の導電体２６が存在して、Ｉ／Ｏコネクタ２４をヒーターチップ２５の入力端子（接合パッド２８）に電気的に接続したり短絡したりする。当業者であれば、そのような接続を容易に行う種々の技法を心得ている。わかりやすくするために、図１は８つのＩ／Ｏコネクタ２４、８つの導電体２６、８つの接着パッド２８を示しているが、昨今のプリントヘッドに含まれる数量ははるかに多く、本明細書において任意の数が同様に採用される。さらにまた、これらコネクタ、導電体、接合パッドの数は互いに等しいが、実際のプリントヘッドではそれぞれの数が異なることもあり得ることを当業者であれば理解するであろう。
【００２４】
ヒーターチップ２５は、使用中にコンパートメント１６からインクを吐出する役割を果たす複数の流体噴射素子の列３４を収容している。流体噴射素子は、薄膜層としてシリコン基板に形成される熱抵抗ヒーター素子（短絡用ヒーター）を具現化したもの、またはヒーターチップという名称からして熱技術の意味を含むかのように思われるが、圧電性素子を具現化したものであってもよい。わかりやすくするために、列３４の複数の流体噴射素子は、インクビア３２に隣接して一列に並んだ５つのドットとして示されているが、実用では数百個または数千個の流体噴射素子が含まれる場合もある。以下に説明するように、垂直方向に隣接する流体噴射素子は、間に水平方向の間隙があってもなくてもよいし、互い違いになっていてもいなくてもよい。一般に、流体噴射素子は、付属のプリンタの解像度（１インチ当たりのドット数）に合わせて、垂直方向に間隔がとってある。間隔のいくつかの例としては、ビアの長手方向に沿って、１インチの１／３００、１／６００、１／１２００、１／２４００などが挙げられる。ビアを形成するには、ヒーターチップを厚さ方向に貫通して切断またはエッチングしてビア３２を形成する多くの方法が知られている。いくつかのさらに好ましい方法としては、グリットブラスティングやエッチング、たとえばウエット、ドライ、反応性イオンエッチング、深堀り反応性イオンエッチングなどが挙げられる。ノズルプレート（図示せず）には各ヒーターの位置に合わせた複数の孔があり、使用中にインクを発射する。ノズルプレートは、接着剤またはエポキシで接着しても、薄膜層として製造してもよい。
【００２５】
記憶部２７は、例えば、製造日、耐用年数、補充可能回数などの情報に関するデータを保存する。
【００２６】
図２を参照すると、プリントヘッド１０を収容するインクジェットプリンタとしての外部デバイスが、全体的に４０として示されている。プリンタ４０には、１つ以上のプリントヘッド１０を収容するための複数のスロット４４を有するキャリッジ４２が含まれる。当技術分野では周知のように、キャリッジ４２は、ドライブベルト５０に供給される推進力によって、シャフト４８に沿って（コントローラ５７の出力５９に従い）印刷ゾーン４６の上方で往復動する。キャリッジ４２の往復動は、プリンタ４０内で給紙トレイ５４から用紙搬送路に沿って印刷ゾーン４６を通過し排紙トレイ５６へと送られる用紙５２などの印刷媒体に対して相対的に生じる。
【００２７】
印刷ゾーンでは、キャリッジ４２は、矢印で示すように、用紙送り方向に送られている用紙５２に対して概ね垂直の往復動方向に往復動する。そのようなときに、コンパートメント１６（図１）からのインク滴は、プリンタのマイクロプロセッサまたは他のコントローラ５７の指令に応じてヒーターチップ２５から吐出されることになる。インク滴放出のタイミングは、印刷中の画像のピクセルパターンに対応する。多くの場合、そのようなパターンは、プリンタ外部の、コントローラ５７に（外部入力により）電気的に接続されたデバイスで生成される。そのようなデバイスとしては、コンピュータ、スキャナ、カメラ、視覚的表示装置、携帯情報端末などを含むが、これに限定されない。
【００２８】
インク一滴を印刷または放出するために、流体噴射素子（図１の列３４のドット）に少量の電流が個別に流されて、少量のインクを急速に加熱する。それによってインクは局所のインクチャンバ内でヒーターとノズルプレートの間で蒸発し、ノズルプレートから印刷媒体に向けて吐出されて発射される。そのようなインク滴を放出するのに必要な噴射パルスは、単一またはスプリット噴射パルスを具現化してもよく、接合パッド２８、導電体２６、Ｉ／Ｏコネクタ２４およびコントローラ５７間の接続から入力端子（たとえば接合パッド２８）のヒーターチップで受信される。入力端子からの噴射パルスは、内部ヒーターチップ配線により、１個または多数の流体噴射素子へと搬送される。
【００２９】
コントローラ５７への入力６２として、ユーザー選択インターフェース６０を有するコントロールパネル５８も多くのプリンタに付属して、プリンタの追加の機能や堅牢性を提供している。
【００３０】
図３は、本発明の一例示的実施形態による、全体的に参照番号１００で表される流体吐出素子の平面図である。流体吐出素子１００は、感光材に形状を描画、現像するフォトリソグラフィ法を用いて形成された流体チャンバ１０２を備える。チャンバ１０２の厚みはおよそ１５μｍでもよい。薄膜加熱素子１０４はチャンバ１０２内にある。デバイス全体に電位差をかけることにより加熱素子１０４を通電することができる。典型的なインクジェットの用途において、加熱素子の表面温度は、１μｓ足らずで周囲温度から約３５０℃まで上昇する。チャンバが水性インク溶液で満たされていると、加熱素子の表面に蒸気泡が形成され、急速に膨張する。このように泡が膨張することによって、インクがノズル孔を通じてチャンバから押し出される。一般に、ノズル（図３には示されず）は、加熱素子１０４の上方にある。加熱素子１０４の寸法は、吐出される液体の滴のサイズや液体の特性に大きく左右されるが、一般的には、加熱素子のアスペクト比（長さ／幅）は、通常１〜３である。一例示的実施形態において、加熱素子１０４は、厚さ約８００ÅのＴａＡｌＮの薄層を蒸着することによって形成される。
【００３１】
インクなどの流体をノズルの開口部を通じてチャンバ１０２から吐出すると、蒸気泡は崩壊する。泡が崩壊すると、大きなキャビテーション力が働いて、またたく間に加熱素子１０４を破壊してしまう。このような理由から、キャビテーション保護層を加熱素子１０４付近に施している。一例示的実施形態において、キャビテーション保護層はタンタルでできている。材質の硬さと耐化学性によりタンタルが一般的に用いられるが、他の材料も同様に用いることができるだろう。以下にさらに詳しく説明するように、キャビテーション保護層は、プリントヘッド状態検出システム内の流体吐出素子１００に対応する状態検出セルの第１電極１０６として機能する。プリントヘッド内の他の流体吐出素子も同じキャビテーション層を共有するため、これら吐出素子に対応する各状態検出セル用の第１電極１０６としても機能することになる。
【００３２】
流体吐出素子１００は、第２電極１１０も備えている。第２電極１１０は、各流体吐出素子のスロート１０８に配置することが好ましい。本開示の目的において、「スロート」とは、流体ビア（図示せず）と流体チャンバ１０２との間の流路を提供する通路と定義してもよい。スロート１０８は、チャンバ１０２と同じ材料で同じように形成される。第２電極１１０は個別帯域用ＵＭＥであり、一例示的実施形態において、タンタルでできていてもよく、プロセスの効率のために、第１電極／キャビテーション保護層１０６と同時に蒸着、エッチングしてもよい。なお、第２電極１１０は、プリントヘッド状態センサの性能を向上させるものであれば他の材料から形成してもよい。
【００３３】
図４は、液体で満たされた、定常状態の流体吐出素子１００を示す。図示されるように、第１電極１０６および第２電極１１０が流体を介して接続されている。電気化学的原理から、流体と第１、第２電極１０６、１１０との関係は、液抵抗を表す抵抗器Ｒｓと、バイアスをかけたときに電極と流体との界面に形成される二重層容量を表すコンデンサＣｄを有する電気回路により表すことができる。そのような電気回路を表したものが図５に示されている。なお当然ながら、液体が存在しなければ二重層コンデンサも存在しないため、直列抵抗が開回路のように見えることになる。
【００３４】
このように状態検出セルの特性を理解すれば、２つの電極間の液体の有無を検出する実用的な方法を検討することが可能になる。インクジェット印刷やその他の液体分配供給の用途において、吐出チップの各チャンバの状態を検知できることが望ましい。このような設計上の目標を達成するには、簡単なインターフェースの維持はもちろん金型のサイズをできるだけ小さくしたいという要望とのバランスも図らなくてはならない。
【００３５】
本発明の一例示的実施形態では、システムにステップ電圧を印加して、それに対する反応を用いて、液体の有無をシステムから検知する。図６は、インクが存在する状態検出セルに５Ｖを入力したときの反応の測定結果を示す。図７は、インクが存在しないときの反応の測定結果を示す。さらに、図８は、セルの反応に基づく等価直列抵抗と二重層容量の計算方法を示している。この方法では、ステップ電圧という簡単な入力を用いることができるが、さらに実用的な測定方法が必要である。そのような測定に好ましい検知回路１１２が図９に示されている。
【００３６】
検知回路１１２は、状態検出セルにインクが存在するときはデジタル高出力を、セルが空のときはデジタル低出力を供給する。セルの状態を判定するのに、複雑でスペースをとるセルのアナログ出力のサンプリングは必要ない。これは、大幅なチップ上のスペースの節約を表している。
【００３７】
この例示的実施形態の検知回路１１２を７つの機能ブロックにグループ分けしてもよい。バイアスブロック２０２は、しきい値検出ブロック２０４により用いられる電流バイアスを生成する。サンプリングブロック２０６は、検知ピンがハイ状態のときサンプリングパッドを試料電流ミラー２０８に接続する。すると、試料電流ミラー２０８は、検知されたインク電流を複製し、その電流がしきい値電流検出ブロック２０４へと流れ込む。ミラー化された検知電流がしきい値電流より大きい場合、インクが存在し、インバータブロック２１０は、ラッチブロック２１２の入力においてロー状態を生成し、ラッチブロックの検出ピンがハイ状態になる。インク内を流れる電流には過渡帯電性があるため、ラッチが必要となる。インクが存在しなければ、サンプル後の電流はしきい値検出電流よりはるかに小さく（ほぼゼロに）なるだろう。すると、インバータはハイ状態を生成し、さらにラッチ検出出力においてロー状態が生成される。ラッチは記憶素子であって、「検知リセット（ｓｅｎｓｅ＿ｒｅｓｅｔ）」ピンが強制的にハイ状態にされるまで、記憶素子の状態は持続する。「検知リセット」ピンがハイ状態になれば、ラッチの検出出力ピンのロー状態がクリアされることになる。つまり、インク内の過渡電流パルスによりラッチが起動され、その検出出力ピンはハイ状態または「インク検知」状態でラッチされることになる。
【００３８】
図１０は、本発明の一例示的実施形態による、全体的に参照番号１２０で表される状態検出システムを示している。チップ上のすべてのノズルの状態を検知する実用的な方法を提供するという目標を遂行するために、すべての流体チャンバについて検知回路１１２の出力を単一の検知バス１２２に接続することができる。さらに、キャビテーション保護層はすべてのチャンバに共通の第１電極として機能するため、電圧ステップ関数を単一の刺激ノード１２４に適用すると、刺激ノード１２４がキャビテーション保護層にその電圧ステップ関数を伝達する。全チャンバの状態を単一の検知バス出力１２６で読み出すことができる。検知バス１２２は通常はデジタルハイとなるよう構成してもよい。つまり、複数のインク検知回路１１２のうちのいずれか１つの回路の出力でも、検知バス１２２をロー状態にプルダウンできるようにインク検知回路を構成してもよい。例えば、検知バス出力１２６からデジタルローの値が読み出されたときは、複数のチャンバのうち少なくとも１つがデプライムされた、またはカートリッジ内のインクが空になったことを示すことになる。あるいは、デジタルローの値が読み出されたときは、印刷後も少なくとも１つのチャンバにはインクが残っている、つまり、少なくとも１つのヒーターが点火しなかったことを示してもよい。
【００３９】
図１１は、本発明の一例示的実施形態による検知バス１２２と複数のインク検知回路１１２との電気的接続を示す回路図である。本実施形態において、検知バス１２２は、複数のインクセル上でのインク検知の失敗を検出するのに用いられる。本実施形態の検知バス１２２は、複数のインク検知セルを「ワイヤードＯＲ（ｗｉｒｅｄ  ｏｒ）」接続する単一のプルダウン配線１２２である。インク検知回路１１２のうちいずれか１つにインクがあることが検出されると、当回路のＮＭＯＳプルダウントランジスタが起動されて、検知バス１２２が低論理状態に「プルダウン」される。このように、インクジェットヒーター群の点火直後に「検知（ｓｅｎｓｅ）」信号を使って検知することにより、インクがまだ残っていれば失敗または非点火ヒーターを検出するという手法が可能になる。この方法によると、多数のヒーターを同時にチェックすることができ、アレイ内の任意のヒーターもしくは全ヒーターをたった１本の配線で接続することができる。これにより失敗の検出に必要な時間が削減されるとともに、検出システムに必要な面積も削減される。
【００４０】
一例示的実施形態において、記載されたシステムおよび方法を用いて、チャンバ内の蒸気泡の有無を検出することができるであろう。上述したように、また図１３に示されるように、加熱素子表面の蒸気泡が成長することにより、チャンバからインクが吐出される。図１４に示されるように、チャンバからインクが吐出された後、蒸気泡はさらに成長を続けスロートへと侵入し、ついにはビア内のインクの圧力が蒸気泡の力に勝り、蒸気泡が崩壊し、インクがチャンバに補充される。図１３に示されるように、泡が形成され始めたときには、第１、第２電極１０６、１１０はまだ流体連結している。液滴が吐出されてしばらくすると、蒸気泡は第２電極１１０まで拡大して、流体路を破壊する。この状態では、セルはチャンバが空であるかのような読み出しを繰り返してしまう。泡の形成から適切な時間経過後にセルを検知することにより、泡が正しく形成されたかどうか、および当システムを用いてノズルの全体的な状態を評価することができるかどうかを判定することが可能になる。
【００４１】
テストモード次第では、プルダウン配線もしくはバスによる接続を、グループ内の任意のインクジェットヒーターセル上のインクの存在もしくはインクの欠如（つまり「泡」）の検知にまで拡大してもよい。この点に関して、図１２に示されるように、「排他的ＯＲ（ｅｘｃｌｕｓｉｖｅ  ｏｒ）」（ｘｏｒ）論理セル２１４および新たな入力信号「逆プルダウン検知（ｉｎｖ＿ｐｕｌｌｄｏｗｎ＿ｓｅｎｓｅ）」（ｉｐｓ）信号２１６を含むように上述したインク検知回路を変更してもよい。ｉｐｓ信号２１６をｘｏｒ論理セル２１４と共に用いて、プルダウンＮＭＯＳトランジスタの起動に必要な論理状態を反転させる。低論理ｉｐｓ信号は、いずれかのインク検知セルにインクが存在すると、プルダウン回路を起動させる、またはプルダウン配線を低状態に設定する。高論理ｉｐｓ信号は、いずれかのインク検知セルにインクがない（つまり、泡を検出する）と、プルダウン回路を起動させる、またはプルダウン配線を低状態に設定する。このように、ｉｐｓ信号を使えば、複数のインクジェットヒーターセルから成る任意のグループについて、単一の配線を用いて、正確な時間（瞬間）に検知をおこなうことにより、インク有（ヒーター非点火）またはインク無（泡）のチェックを行うことができる。
【００４２】
一例示的実施形態において、一度に全チャンバを検知するのではなく、個々のチャンバを指定して検知することによりインクが存在しないチャンバを確定できるようにしてもよい。
【００４３】
本発明の特定の実施形態を図示し説明してきたが、当業者にとっては本発明の精神と範囲を逸脱しない限り様々な他の変化形態および変更形態が可能であることは明白であろう。したがって、本発明の範囲内のそのような変化形態および変更形態はすべて別記の請求項に含まれるものとする。
【符号の説明】
【００４４】
１０  プリントヘッド
１２  ハウジング
１６  コンパートメント
１８、２２  表面
１９、２１  部分
２０  ＴＡＢ回路
２３  エッジ
２４  Ｉ／Ｏコネクタ
２５  ヒーターチップ
２６  導電体
２８  接合パッド
３２  インクビア
３４  列
４０  プリンタ
４２  キャリッジ
４４  スロット
４６  印刷ゾーン
４８  シャフト
５０  ドライブベルト
５２  用紙
５４  給紙トレイ
５６  排紙トレイ
５７  コントローラ
５８  コントロールパネル
５９  出力
６０  ユーザー選択インターフェース
６２  入力
１００  流体吐出素子
１０２  流体チャンバ
１０４  加熱素子
１０６  第１電極
１０８  スロート
１１０  第２電極
１１２  検知回路
１２０  状態検出システム
１２２  単一の検知バス
１２６  単一の検知バス出力
２０２  バイアスブロック
２０４  しきい値検出ブロック
２０６  サンプリングブロック
２０８  試料電流ミラー
２１０  インバータブロック
２１２  ラッチブロック
２１４  ｘｏｒ論理セル
２１６  ｉｐｓ信号
【図１】
0006741015.tif 000002
【図２】
0006741015.tif 000003
【図３】
0006741015.tif 000004
【図４】
0006741015.tif 000005
【図５】
0006741015.tif 000006
【図６】
0006741015.tif 000007
【図７】
0006741015.tif 000008
【図８】
0006741015.tif 000009
【図９】
0006741015.tif 000010
【図１０】
0006741015.tif 000011
【図１１】
0006741015.tif 000012
【図１２】
0006741015.tif 000013
【図１３】
0006741015.tif 000014
【図１４】
0006741015.tif 000015